(57)【特許請求の範囲】
【請求項１】
シトラールを含む飲料又は食料品に対して、フマル酸又はその金属塩を添加することを特徴とする、香気劣化抑制方法であって、
シトラールを含む前記飲料又は前記食料品全体に対して、前記フマル酸又はその金属塩を０．５ｐｐｍ以上１５０００ｐｐｍ以下添加することを特徴とする、香気劣化抑制方法。
【請求項２】
シトラールを含む前記飲料又は前記食料品は、シトラールを含む飲料である、請求項１に記載の香気劣化抑制方法。
【請求項３】
シトラールを含む前記飲料のｐＨが７未満であることを特徴とする、請求項２に記載の香気劣化抑制方法。
【請求項４】
フマル酸又はその金属塩からなる香気劣化抑制剤であって、
シトラールを含む飲料又は食料品全体に対して、０．５ｐｐｍ以上１５０００ｐｐｍ以下添加されることを特徴とする、香気劣化抑制剤。
【発明の詳細な説明】
【技術分野】
【０００１】
本発明は、香気劣化抑制方法および香気劣化抑制剤に関する。
【背景技術】
【０００２】
従来、シトラスフレーバーを飲料に添加することにより、飲料にレモンのような柑橘類特有の風味を加えることが広くなされている。また、このような柑橘類特有の風味を加えることにより、飲用した者にすっきりとした爽快感を与えることができる。
ここで、このシトラスフレーバーの代表的な香気成分としては、シトラールやリモネン等が挙げられる。
【０００３】
ここで、このようなシトラスフレーバーに含まれる香気成分は、加熱を行うこと、あるいは長期的に保存することにより他の成分に変換されてしまうことが知られている。また、このような知見に対する対策を行った例として以下のような技術が知られている。
【０００４】
たとえば、特許文献１にはシトラールを加熱等した際に生じる、ｐ−メチルアセトフェノン等の生成を抑制するために、カリン、マンゴー、マンゴスチン、ミロバラン、ザクロまたはカカオからの溶媒抽出された抽出物や、エピカテキン、エピカテキンガレート、エピガロカテキンガレート、酵素処理ルチン、クエルセチン、フェルラ酸、カフェー酸、ロズマリン酸、シリンガ酸または没食子酸を添加する技術が開示されている。
【０００５】
また、特許文献２には、エリオシトリンまたはエリオシトリン含有物をシトラール等のフレーバー成分の劣化防止剤として用いる技術が開示されている。
その他、アシタバ、アボカド、オオバコ等の溶媒抽出物を用いてシトラールやシトラール含有製品の劣化臭の生成を抑制する技術（特許文献３参照）や、バンレイシ属植物の果皮の溶媒抽出物を香料劣化抑制剤として用いる技術が知られている（特許文献４参照）。
【先行技術文献】
【特許文献】
【０００６】
【特許文献１】特開２００２−１８００８１号公報
【特許文献２】特開２００１−６１４６１号公報
【特許文献３】特開２００４−１８６１３号公報
【特許文献４】特開２００４−２９２７７８号公報
【発明の概要】
【発明が解決しようとする課題】
【０００７】
すなわち、特許文献１〜４に記載されているように、シトラスフレーバー固有の香気を保つための研究はなお盛んになされているものであり、各種製品を設計する上での技術開拓が望まれている。
このような事情を鑑み、本発明はシトラスフレーバー固有の香気を保つための劣化臭生成抑制方法を提供することを課題とする。
【課題を解決するための手段】
【０００９】
本発明によればシトラールを含む飲料又は食料品に対して、フマル酸又はその金属塩を添加することを特徴とする、香気劣化抑制方法であって、シトラールを含む前記飲料又は前記食料品全体に対して、前記フマル酸又はその金属塩を０．５ｐｐｍ以上１５０００ｐｐｍ以下添加することを特徴とする、香気劣化抑制方法が提供される。
また、本発明によれば、フマル酸又はその金属塩からなる香気劣化抑制剤であって、シトラールを含む飲料又は食料品全体に対して、０．５ｐｐｍ以上１５０００ｐｐｍ以下添加されることを特徴とする、香気劣化抑制剤が提供される。
【発明の効果】
【００１２】
本発明の劣化臭生成抑制方法では、シトラスフレーバー含有製品に対して、分子内に共役二重結合を有するジカルボン酸又はその金属塩を添加することにより、劣化臭の原因となりうる特定の化合物群の生成を抑制することができる。
【発明を実施するための形態】
【００１３】
以下、本発明を実施の形態に基づいて説明する。
【００１４】
（劣化臭生成抑制方法、香気劣化抑制方法）
まず、本実施形態に係る劣化臭生成抑制方法と香気劣化抑制方法について説明する。
本実施形態の劣化臭生成抑制方法は、シトラスフレーバー含有製品に対して、分子内に共役二重結合を有するジカルボン酸又はその金属塩を添加することにより、前記シトラスフレーバーを含む飲料中におけるｐ−クレゾール、ｐ−サイメン、ｐ−メチルアセトフェノン、α−テルピネオールおよびテルピノレンからなる群から選ばれる１種又は２種以上の化合物の生成を抑制する、劣化臭生成抑制方法である。
【００１５】
また、本実施形態の香気劣化抑制方法は以下に示す通りである。
シトラスフレーバー含有製品に対して、分子内に共役二重結合を有するジカルボン酸又はその金属塩を添加することを特徴とする、香気劣化抑制方法。
【００１６】
すなわち、本実施形態に係る劣化臭生成抑制方法および香気劣化抑制方法は、シトラスフレーバー含有製品に対して、特定の構造を備えるジカルボン酸又はその金属塩を添加するものであり、これによって、シトラスフレーバーに対して加熱や長期保存を行った際に生じる特定の化合物の生成を抑制することができ、結果として、香気の劣化を抑制することができる。
【００１７】
（シトラスフレーバー含有製品）
本実施形態に係る劣化臭生成抑制方法および香気劣化抑制方法は、シトラスフレーバーを含ませることが慣用的になされている製品であれば、いずれの製品であっても適用することができる。
このような製品としては、飲料をはじめ、アイスクリームや飴、ガム等の菓子類、ドレッシング等の調味料類等の食料品が挙げられる。また、食用以外では、香水や化粧品、入浴剤や、芳香剤、洗剤、洗口剤等の香粧品にも適用することができる。
このなかでも、本実施形態の方法は、製品が飲料である場合に好ましく用いられる。
【００１８】
（シトラスフレーバー）
本実施形態の劣化臭生成抑制方法に係るシトラスフレーバーとしては、加熱時や保存時において、上述のｐ−クレゾール、ｐ−サイメン、ｐ−メチルアセトフェノン、α−テルピネオールおよびテルピノレンからなる群から選ばれる化合物群のうち、少なくとも一種の化合物が生成しうる成分を含むフレーバーから選ばれる。
その代表的な例としては、加熱時や保存時にｐ−クレゾール、ｐ−サイメンおよびｐ−メチルアセトフェノンが生成しうるシトラールを含むフレーバーや、加熱時や保存時にｐ−クレゾール、ｐ−サイメン、α−テルピネオールおよびテルピノレンが生成しうるリモネンを含むフレーバーが挙げられる。
【００１９】
ここで、シトラスフレーバーを加熱や長期保存した場合においては、上記の化合物群として示した化合物以外にも雑多な化合物が生成するが、本発明者は飲料等を作製するにあたって、上記の五つの化合物の生成を抑制、管理することがシトラスフレーバー固有の風味等を担保する上で効果的であることを見出した。
すなわち、本実施形態に係るフレーバーとしては、上述のシトラールやリモネン以外の香気成分を含むシトラスフレーバーであっても、上記五つの成分のいずれかを生成しうるフレーバーであれば適用することができる。
【００２０】
また、本実施形態において、例えばシトラスフレーバーがシトラールを含む場合は、生成しうるｐ−クレゾール、ｐ−サイメンおよびｐ−メチルアセトフェノンの全ての化合物の生成が抑制されることが好ましく、また、シトラスフレーバーがリモネンを含む場合は、生成しうるｐ−クレゾール、ｐ−サイメン、α−テルピネオールおよびテルピノレンの全ての化合物の生成が抑制されることが好ましい。これにより、製品として、シトラスフレーバー特有の香気を十分にもたせることができる。
この効果を達成するための具体的な手法としては、たとえば、製品の組成を調整することや、分子内に共役二重結合を有するジカルボン酸またはその金属塩の添加量を調整すること等が挙げられ、適宜スクリーニングを行うことで、上記のような効果を発現することができる。
【００２１】
本実施形態において、製品全体におけるシトラスフレーバーの含有量は、設計する製品に合わせて適宜設定することができる。
このシトラスフレーバーを構成する成分のうち、ｐ−クレゾール、ｐ−サイメン、ｐ−メチルアセトフェノン、α−テルピネオールおよびテルピノレンからなる群から選ばれる化合物群が生成しうる成分の含有量の下限値としては、たとえば１ｐｐｍ以上であり、好ましくは３ｐｐｍ以上であり、より好ましくは５ｐｐｍ以上である。
また、当該成分の製品全体における含有量の上限値は、たとえば１０００ｐｐｍ以下であり、好ましくは５００ｐｐｍ以下であり、より好ましくは３００ｐｐｍ以下である。
また、製品全体におけるシトラスフレーバー全体の含有量は、設計する製品に合わせて適宜設定することができるが、その下限値としては、たとえば５ｐｐｍ以上であり、好ましくは２０ｐｐｍ以上であり、より好ましくは５０ｐｐｍ以上である。
また、製品全体におけるシトラスフレーバー全体の含有量の上限値は、たとえば１００００ｐｐｍ以下であり、好ましくは５０００ｐｐｍ以下であり、より好ましくは３０００ｐｐｍ以下である。
【００２２】
（分子内に共役二重結合を有するジカルボン酸又はその金属塩）
本実施形態の劣化臭生成抑制方法および香気劣化抑制方法においては、上記の化合物の生成を抑制するために、製品に対して、分子内に共役二重結合を有するジカルボン酸又はその金属塩を添加することを特徴とする。
ここで、この「分子内に共役二重結合を有するジカルボン酸またはその金属塩」は、ここで規定する化合物としての特徴を満足し、また、製品として添加することのできる材料の中から適宜選択すればよい。
ここで、分子内における共役二重結合が、製品中に含まれるシトラスフレーバーに対して還元作用をもたらし、加熱時や長期保存時における劣化臭の生成を効果的に抑制することができるものと考えられる。
【００２３】
なお、共役二重結合は分子内のカルボキシル基から隔離された部位に複数の二重結合が備えられ、これらが共役する関係にあるものでもよいが、分子内のカルボキシル基が有するＣ＝Ｏ二重結合に対して共役する態様が好ましい。
また、共役二重結合に寄与する二重結合は炭素−炭素二重結合に限られるものではなく、炭素原子とヘテロ原子との二重結合であってもよい。また、例えば芳香族化合物のように二重結合を介して環を構成していてもよい。
ここで、共役に寄与する原子数が増えることにより、劣化臭生成抑制の効果はより顕著となり、より具体的には、分子の有する二つのカルボン酸が分子内に備えられる二重結合によって、共役する関係にあることが好ましい。
【００２４】
ここで、このようなジカルボン酸又はその金属塩の例としては、フマル酸やイタコン酸又はこれらの金属塩が挙げられる。特に、入手容易性の高さや劣化臭生成抑制の効果の高さからフマル酸が好ましく用いられる。
なお、フマル酸のような分子内に共役二重結合を有するジカルボン酸は、一般に食品用途における添加物として用いられており、それにより、抗酸化作用を発現させる試みがなされている。しかしながら、従来技術として、シトラスフレーバー含有製品に対して、添加を行い、上述の劣化臭をもたらす化合物の生成を抑制するという知見は見出されていなかった。
これに対し、本発明者は、鋭意検討の結果、この特定の構造を備えるジカルボン酸等を、シトラスフレーバーを含有する製品に添加することで、劣化臭の生成を抑制し、香気の劣化を抑制できることを見出した。
【００２５】
ここで、先述の特許文献１〜４に記載される技術はいずれも、シトラール等の香気成分以外の第三成分を加えることで、シトラスフレーバーの劣化を抑制するものである。そのため、たとえばシトラスフレーバーを含有する飲料を作製する際に、この第三成分を加えることによって飲料の風味が左右されてしまうという点で改善する余地があった。
これに対し、上記のようなジカルボン酸は、一般に、飲料等について「酸味」を付与するために用いられる。その一方で、適用させるシトラスフレーバーも通常はレモンのようなスッキリとした香気を付与する効果をもたらすため、これらを添加する目的は相反するものではない。
そのため、たとえば飲料に適用したとしても、シトラスフレーバー固有の香気・風味を損なうことなく、劣化臭の生成を抑制することができることがいえる。また、このような観点から、飲料のみならず、シトラスフレーバーを含有する製品の開発の幅を飛躍的に拡充することができる。
【００２６】
ここで、本実施形態に係る金属塩は、ジカルボン酸の備える二つのカルボキシル基のうち、片方のカルボキシル基に対するアニオンについて、対応する金属カチオンが存在するものであってもよいし、ジカルボン酸の備える双方のカルボキシル基に対するアニオンについて、対応する金属カチオンが存在するものであってもよい。
ここで、金属カチオンの例としては、１価のカチオンのものと、２価のカチオンのものが挙げられ、１価のカチオンとしてはナトリウムイオン、カリウムイオン等を採用することができる。また、２価のカチオンとしては、カルシウムイオン、マグネシウムイオン等を採用することができる。
【００２７】
本実施形態において、上記のジカルボン酸を製品に添加するか、あるいはジカルボン酸の金属塩を製品に添加するかは、設計する製品に合わせて適宜選択すればよい。
たとえば、飲料に適用した場合、ジカルボン酸をそのまま添加した場合は、飲用した際に速やかこのジカルボン酸に由来する風味が消え、全体としてキレのある風味となる傾向があり、また、ジカルボン酸の金属塩を添加した場合は、この風味が後まで残る傾向がある。
【００２８】
本実施形態の劣化臭生成抑制方法および香気劣化抑制方法に係る、上記分子内に共役二重結合を有するジカルボン酸又はその金属塩の飲料に対する添加量は、目的に合わせて適宜調整することができる。
たとえば、シトラスフレーバー含有製品中における、分子内に共役二重結合を有するジカルボン酸又はその金属塩の添加量の下限値としては、０．５ｐｐｍ以上とすることが好ましく、より好ましくは１０ｐｐｍ以上であり、さらに好ましくは１００ｐｐｍ以上であり、特に好ましくは２５０ｐｐｍ以上である。
また、シトラスフレーバー含有製品中における、分子内に共役二重結合を有するジカルボン酸又はその金属塩の添加量の上限値としては、たとえば１５０００ｐｐｍ以下である。
【００２９】
より具体的には、シトラスフレーバーとして、シトラールを含むフレーバーを用いる場合は、製品全体に対する分子内に共役二重結合を有するジカルボン酸又はその金属塩の添加量を０．５ｐｐｍ以上とすることが好ましく、このようにすることにより、ｐ−クレゾールとｐ−メチルアセトフェノンの生成を抑制しやすくなる。
また、ｐ−クレゾールとｐ−メチルアセトフェノンのみならず、ｐ−サイメンの生成も効果的に抑制できる観点から、製品全体に対する分子内に共役二重結合を有するジカルボン酸又はその金属塩の添加量を１０ｐｐｍ以上とすることがより好ましい。
なお、上記のようにシトラスフレーバーとしてシトラールを含むフレーバーを用いる場合、製品中に含ませることのできる分子内に共役二重結合を有するジカルボン酸又はその金属塩の量の上限値は特に限定されるものでなく、製品の設計に合わせて適宜選択できるが、例えば、１５０００ｐｐｍ以下である。
【００３０】
また、シトラスフレーバーとして、リモネンを含むフレーバーを用いる場合は、製品全体に対する分子内に共役二重結合を有するジカルボン酸又はその金属塩の添加量を０．５ｐｐｍ以上とすることが好ましく、このようにすることにより、ｐ−クレゾールの生成を抑制しやすくなる。
また、ｐ−クレゾールのみならず、ｐ−サイメン、α−テルピネオール及びテルピノレンの生成も効果的に抑制できる観点から、製品全体に対する分子内に共役二重結合を有するジカルボン酸又はその金属塩の添加量を１０ｐｐｍ以上とすることがより好ましく、１００ｐｐｍ以上とすることがさらに好ましく、２５０ｐｐｍ以上とすることが特に好ましい。
なお、シトラスフレーバーとしてリモネンを含むフレーバーを用いる場合、製品中に含ませることのできる分子内に共役二重結合を有するジカルボン酸又はその金属塩の量の上限値は特に限定されるものでなく、製品の設計に合わせて適宜選択できるが、例えば、１５０００ｐｐｍ以下である。
【００３１】
また、本実施形態において、分子内に共役二重結合を有するジカルボン酸又はその金属塩の種類と添加量を適宜設定することにより、効果的にシトラスフレーバーの劣化を抑制し、ジカルボン酸又はその金属塩を加えなかった場合に比べて、製品中におけるシトラスフレーバーにおける香気成分の量（残存量）を増加させることができる。
ジカルボン酸又はその金属塩の種類としては、フマル酸又はその金属塩が、この効果を顕著に発現させ、また、このフマル酸を添加する場合の添加量としては、製品全体に対するフマル酸又はその金属塩の添加量を０．５ｐｐｍ以上に設定することで、係る効果が発現されやすくなる。
このような効果から、シトラスフレーバーを含む製品を、加熱や長期保存を行った場合であっても、その香気を十分に保持することができる。
【００３２】
（飲料）
本実施形態の劣化臭生成抑制方法および香気劣化抑制方法は好ましくは飲料に対して適用することができる。係る飲料は、先述のシトラスフレーバーと、分子内に共役二重結合を有するジカルボン酸又はその金属塩とを含有するものであり、それ以外の組成等は適宜設定することができる。
また、当該飲料はアルコール飲料であってもよく、またノンアルコール飲料であってもよい。なお、アルコール飲料としてのアルコール濃度の下限値は、たとえば１％以上であり、好ましくは２％以上であり、より好ましくは３％以上である。
また、アルコール飲料としてのアルコール濃度の上限値は、たとえば１５％以下であり、好ましくは１２％以下である、より好ましくは１０％以下である。
本実施形態においては、係る飲料に先述の分子内に共役二重結合を有するジカルボン酸又はその金属塩を添加することにより、加熱時や長期保存時においても劣化臭の生成が抑制され、結果として、香気の劣化が抑制された飲料を提供することができる。
【００３３】
本実施形態に係る飲料のｐＨに関して、シトラスフレーバーは、飲料のｐＨが低くなるほど、変性を起こしやすくなり、結果として、劣化臭を招く化合物を生成しやすくなる傾向がある。
このことから、本実施形態に係る劣化臭生成抑制方法及び香気劣化抑制方法においては、飲料が酸性、すなわち、飲料のｐＨが７未満である場合に、その効果が顕著なものとなる。同様の観点から、飲料のｐＨを６未満とすることもできるし、ｐＨが５未満とすることもできる。
なお、飲料のｐＨは公知の方法に従って測定することができ、例えば、東亜ディーケーケー社製のｐＨメーター  ＨＭ−３０Ｒ等を用いて測定することができる。
【００３４】
また、上記のようなｐＨに調整するために、適宜、飲料に対してｐＨ調整剤を添加することもできる。このｐＨ調整剤としては、設計する製品に合わせて適宜選択すればよいが、例えばクエン酸のようなカルボン酸やクエン酸ナトリウムのようなカルボン酸塩等が挙げられる。
また、このｐＨ調整剤は、飲料のｐＨを逐次観測しながら、添加量を調整すればよい。
【００３５】
（香料組成物）
上述の劣化臭生成抑制方法等においては、シトラスフレーバー含有製品に対して、分子内に共役二重結合を有するジカルボン酸又はその金属塩を添加する態様を示したが、他の実施形態として、事前にシトラスフレーバーと、分子内に共役二重結合を有するジカルボン酸又はその金属塩とを含有する香料組成物を調製しておき、この香料組成物を製品に添加することで所望の効果を発現することができる。
【００３６】
このような香料組成物は、例えば、シトラスフレーバー１００質量部に対して、分子内に共役二重結合を有するジカルボン酸又はその金属塩を０．０１質量部以上含むものであり、より好ましくは０．１質量部以上含むものであり、さらに好ましくは１質量部以上、特に好ましくは５質量部以上含むものである。
なお、本実施形態に係る香料組成物は、必ずしも全体として均一である必要はなく、分子内に共役二重結合を有するジカルボン酸又はその金属塩が固体状で混合されていてもよい。
また、本実施形態に係る香料組成物に含まれる分子内に共役二重結合を有するジカルボン酸又はその金属塩の上限値は、例えば、シトラスフレーバー１００質量部に対して、５０質量部以下である。
【００３７】
ここで、先述の通り、シトラスフレーバーは加熱時や長期保存時、また、ｐＨの低い環境におかれることにより、変性を招きやすくなる。これに対し、本実施形態の香料組成物においては、保管する環境を適切に管理することにより上述の添加量であっても十分にシトラスフレーバー固有の香気を保つことができる。
より具体的には、香料組成物を不活性ガスとともに容器に収容した上で密閉し、冷暗所に保管することが、シトラスフレーバー固有の香気を保つ観点から好ましい態様である。
【００３８】
本実施形態に係る香料組成物は、飲料に添加することができるのは勿論のこと、アイスクリームや飴、ガム等の菓子類、ドレッシング等の調味料類等の食料品に添加することができる。また、食品以外であっても、香水や化粧品、入浴剤や、芳香剤、洗剤、洗口剤等の香粧品にも添加することができる。
【００３９】
以上、本発明の実施形態について述べたが、これらは本発明の例示であり、上記以外の様々な構成を採用することもできる。
以下、参考形態の例を付記する。
＜１＞
シトラスフレーバー含有製品に対して、分子内に共役二重結合を有するジカルボン酸又はその金属塩を添加することにより、
前記シトラスフレーバー含有製品中におけるｐ−クレゾール、ｐ−サイメン、ｐ−メチルアセトフェノン、α−テルピネオールおよびテルピノレンからなる群から選ばれる１種又は２種以上の化合物の生成を抑制する、劣化臭生成抑制方法。
＜２＞
前記分子内に共役二重結合を有するジカルボン酸又はその金属塩は、フマル酸あるいはイタコン酸又はこれらの金属塩であることを特徴とする、＜１＞に記載の劣化臭生成抑制方法。
＜３＞
前記シトラスフレーバー含有製品中における、前記分子内に共役二重結合を有するジカルボン酸又はその金属塩の添加量は、０．５ｐｐｍ以上１５０００ｐｐｍ以下であることを特徴とする、＜１＞または＜２＞に記載の劣化臭生成抑制方法。
＜４＞
前記シトラスフレーバーはシトラールを含む、＜１＞乃至＜３＞のいずれか１項に記載の劣化臭生成抑制方法。
＜５＞
ｐ−クレゾール、ｐ−サイメンおよびｐ−メチルアセトフェノンの全ての化合物の生成が抑制されることを特徴とする、＜４＞に記載の劣化臭生成抑制方法。
＜６＞
前記シトラスフレーバーはリモネンを含む、＜１＞乃至＜３＞のいずれか１項に記載の劣化臭生成抑制方法。
＜７＞
ｐ−クレゾール、ｐ−サイメン、α−テルピネオールおよびテルピノレンの全ての化合物の生成が抑制されることを特徴とする、＜６＞に記載の劣化臭生成抑制方法。
＜８＞
前記シトラスフレーバー含有製品は、シトラスフレーバーを含む飲料である、＜１＞乃至＜７＞のいずれか１項に記載の劣化臭生成抑制方法。
＜９＞
前記シトラスフレーバーを含む飲料のｐＨが７未満であることを特徴とする、＜８＞に記載の劣化臭生成抑制方法。
＜１０＞
シトラスフレーバー含有製品に対して、分子内に共役二重結合を有するジカルボン酸又はその金属塩を添加することを特徴とする、香気劣化抑制方法。
＜１１＞
前記分子内に共役二重結合を有するジカルボン酸又はその金属塩は、フマル酸あるいはイタコン酸又はこれらの金属塩であることを特徴とする、＜１０＞に記載の香気劣化抑制方法。
＜１２＞
前記シトラスフレーバー含有製品は、シトラスフレーバーを含む飲料である、＜１０＞または＜１１＞に記載の香気劣化抑制方法。
＜１３＞
シトラスフレーバーと、分子内に共役二重結合を有するジカルボン酸又はその金属塩とを含有することを特徴とする、香料組成物。
＜１４＞
前記分子内に共役二重結合を有するジカルボン酸又はその金属塩は、フマル酸あるいはイタコン酸又はこれらの金属塩であることを特徴とする、＜１３＞に記載の香料組成物。
＜１５＞
シトラスフレーバーと、分子内に共役二重結合を有するジカルボン酸又はその金属塩とを含有することを特徴とする、シトラスフレーバー含有製品。
＜１６＞
前記分子内に共役二重結合を有するジカルボン酸又はその金属塩は、フマル酸あるいはイタコン酸又はこれらの金属塩であることを特徴とする、＜１５＞に記載のシトラスフレーバー含有製品。
＜１７＞
前記シトラスフレーバー含有製品は、シトラスフレーバーを含む飲料である、＜１５＞または＜１６＞に記載のシトラスフレーバー含有製品。
【実施例】
【００４０】
以下、実施例を用いて本発明を詳細に説明するが、本発明はこれらの実施例の記載に何ら限定されるものではない。
【００４１】
まず、本実施例項において、飲料中に含まれる各成分の量はガスクロマトグラフィ（ＧＣ）分析を用いて定量を行っている。この分析の手順は以下に示す通りである。
（サンプル作製方法）
試料を５０．０ｇ秤量し、内部標準として２−オクタノールを１００μＬ添加した上で、５０ｍＬの水で希釈を行う。これとは別にジクロロメタン（５ｍＬ）、エタノール（５ｍＬ）、水（２０ｍＬ）にて順次コンディショニングを行った固相（Ｗａｔｅｒｓ社製Ｏａｓｉｓ  ＨＬＢ  ２００ｍｇ／６ｃｃ）を準備し、上で得られた希釈試料に含まれる有機成分を全量吸着させる。その後、ジクロロメタン５ｍＬにて溶出を行い、この溶出液を無水硫酸ナトリウムで脱水し、その上清をスピッツ管に移注して窒素パージにて２００μＬまで濃縮し、分析用のサンプルを作製する。
（定量方法）
この分析用のサンプルは以下に示す条件にて、ガスクロマトグラフィ（ＧＣ）分析を行う。試料中の成分量は内部標準として用いた２−オクタノールのピークとの面積比から計算する。また、同一試料についてＧＣ分析を二度行い、その平均値として試料中の成分量であるものとして定量を行う。
（ＧＣ条件）
機器名：Ａｇｉｌｅｎｔ  Ｔｅｃｈｎｏｌｏｇｉｅｓ社製  ５９７３ｉｎｅｒｔ  Ｍａｓｓ  Ｓｅｌｅｃｔｉｖｅ  Ｄｅｔｅｃｔｏｒ
カラム：ＤＢ−ＷＡＸ（６０ｍ×０．２５ｍｍ×０．２５μｍ）
オーブン温度：４０℃（１ｍｉｎ）−（３℃／ｍｉｎ）−２１０℃（３ｍｉｎ）
流量：１ｍｌ／ｍｉｎ
インジェクション温度：２５０℃
インジェクション量：１μＬ
スプリット比：１０：１
【００４２】
（実施例１）
モデル液Ａとして、アルコール濃度５％、シトラール１０ｐｐｍを含む飲料を用意し、この飲料のｐＨを、ｐＨ調整剤であるクエン酸三ナトリウムを用いてｐＨが３．１となるように調整した。なお、ここでｐＨは東亜ディーケーケー社製のｐＨメーター  ＨＭ−３０Ｒを用いて測定した。
この飲料に対し、フマル酸一ナトリウムを、飲料全体の２５０ｐｐｍとなるように添加し、密栓した上で、３７℃の温度にて７日間静置した。静置後、飲料に含まれるシトラールの量、ｐ−クレゾールの量、ｐ−サイメンの量、ｐ−メチルアセトフェノンの量を定量した。
この含有量について、後述する比較例１における各成分の含有量との比として表１に示した。
【００４３】
（実施例２、３）
実施例１の方法において、フマル酸一ナトリウムの添加量を表１に記載の通りに調整する以外は、実施例１と同様の方法で静置を行い、飲料中に含まれる各成分の量を定量した。結果は表１に示す。
【００４４】
（実施例４）
実施例１の方法において、フマル酸一ナトリウムの代わりに、フマル酸を２１０ｐｐｍとなるように添加した以外は、実施例１と同様の方法で静置を行い、飲料中に含まれる各成分の量を定量した。結果は表１に示した。
【００４５】
（比較例１）
実施例１の方法において、フマル酸一ナトリウムを加えなかった以外は、実施例１と同様の方法で静置を行い、飲料中に含まれる各成分の量を定量した。この比較例１の結果を対照（１００．０％）として表１に示した。
【００４６】
ここで、これらの実施例１−４においては、「シトラス感」、「劣化香」、「美味しさ」の項目について、官能評価を行った。
官能評価は３名の専門パネラーが行い、比較例１と比較して良い印象を持ったものを＋１、悪い印象を持ったものを−１、印象として変わらないものを０として、３名のパネラーの平均点を評点として表１に示した。
なお、「劣化香」については、シトラールの劣化した香気がより感じられないものを良い場合として評価を行っている。
【００４７】
【表１】
0005785318.tif 000002
【００４８】
（実施例５）
モデル液Ａとして、アルコール濃度５％、シトラール１０ｐｐｍ、を含む飲料を用意し、この飲料のｐＨを、ｐＨ調整剤であるクエン酸三ナトリウムを用いてｐＨが３．３となるように調整した。なお、ここでｐＨは東亜ディーケーケー社製のｐＨメーター  ＨＭ−３０Ｒを用いて測定した。
この飲料に対し、フマル酸一ナトリウムを、飲料全体の２５０ｐｐｍとなるように添加し、密栓した上で、３７℃の温度にて７日間静置した。静置後、飲料に含まれるシトラールの量、ｐ−クレゾールの量、ｐ−サイメンの量、ｐ−メチルアセトフェノンの量を定量した。
この含有量について、後述する比較例２における各成分の含有量との比として表２に示した。
【００４９】
（実施例６、７）
実施例５の方法において、フマル酸一ナトリウムの添加量を表２に記載の通りに調整する以外は、実施例５と同様の方法で静置を行い、飲料中に含まれる各成分の量を定量した。結果は表２に示した。
【００５０】
（比較例２）
実施例５の方法において、フマル酸一ナトリウムを加えなかった以外は、実施例５と同様の方法で静置を行い、飲料中に含まれる各成分の量を定量した。この比較例２の結果を対照（１００．０％）として表２に示した。
【００５１】
（実施例８）
モデル液Ａとして、アルコール濃度５％、シトラール１０ｐｐｍ、を含む飲料を用意し、この飲料のｐＨを、ｐＨ調整剤であるクエン酸三ナトリウムを用いてｐＨが３．５となるように調整した。なお、ここでｐＨは東亜ディーケーケー社製のｐＨメーター  ＨＭ−３０Ｒを用いて測定した。
この飲料に対し、フマル酸一ナトリウムを、飲料全体の２５０ｐｐｍとなるように添加し、密栓した上で、３７℃の温度にて７日間静置した。静置後、飲料に含まれるシトラールの量、ｐ−クレゾールの量、ｐ−サイメンの量、ｐ−メチルアセトフェノンの量を定量した。
この含有量について、後述する比較例３における各成分の含有量との比として表２に示した。
【００５２】
（実施例９）
実施例８の方法において、フマル酸一ナトリウムの添加量を表２に記載の通りに調整する以外は、実施例８と同様の方法で静置を行い、飲料中に含まれる各成分の量を定量した。結果は表２に示した。
【００５３】
（比較例３）
実施例８の方法において、フマル酸一ナトリウムを加えなかった以外は、実施例８と同様の方法で静置を行い、飲料中に含まれる各成分の量を定量した。この比較例３の結果を対照（１００．０％）として表２に示した。
【００５４】
ここで、これらの実施例５−９においては、「シトラス感」、「劣化香」、「美味しさ」の項目に従い、官能評価を行った。
具体的な手法は実施例１−４で行ったものに準じるものであり、実施例５−７は比較例２に対して、実施例８、９は比較例３に対して、各項目における印象を統計している。結果は表２に示した通りである。
【００５５】
【表２】
0005785318.tif 000003
【００５６】
（実施例１０）
モデル液Ｂとして、アルコールを含まず、シトラール１０ｐｐｍ、を含む飲料を用意し、この飲料のｐＨを、ｐＨ調整剤であるクエン酸三ナトリウムを用いてｐＨが３．０となるように調整した。なお、ここでｐＨは東亜ディーケーケー社製のｐＨメーター  ＨＭ−３０Ｒを用いて測定した。
この飲料に対し、フマル酸一ナトリウムを、飲料全体の２５０ｐｐｍとなるように添加し、密栓した上で、３７℃の温度にて７日間静置した。静置後、飲料に含まれるシトラールの量、ｐ−クレゾールの量、ｐ−サイメンの量、ｐ−メチルアセトフェノンの量を定量した。
この含有量について、後述する比較例４における各成分の含有量との比として表３に示した。
【００５７】
（比較例４）
実施例１０の方法において、フマル酸一ナトリウムを加えなかった以外は、実施例１０と同様の方法で静置を行い、飲料中に含まれる各成分の量を定量した。この比較例４の結果を対照（１００．０％）として表３に示した。
【００５８】
【表３】
0005785318.tif 000004
【００５９】
（実施例１１）
モデル液Ｃとして、アルコール濃度５％、リモネン１０ｐｐｍ、を含む飲料を用意し、この飲料のｐＨを、ｐＨ調整剤であるクエン酸三ナトリウムを用いてｐＨが３．３となるように調整した。なお、ここでｐＨは東亜ディーケーケー社製のｐＨメーター  ＨＭ−３０Ｒを用いて測定した。
この飲料に対し、フマル酸一ナトリウムを、飲料全体の２５０ｐｐｍとなるように添加し、密栓した上で、３７℃の温度にて７日間静置した。静置後、飲料に含まれるリモネンの量、ｐ−クレゾールの量、ｐ−サイメンの量、α−テルピネオール、テルピノレンの量を定量した。
この含有量について、後述する比較例５における各成分の含有量との比として表４に示した。
【００６０】
（比較例５）
実施例１１の方法において、フマル酸一ナトリウムを加えなかった以外は、実施例１１と同様の方法で静置を行い、飲料中に含まれる各成分の量を定量した。この比較例５の結果を対照（１００．０％）として表４に示した。
【００６１】
【表４】
0005785318.tif 000005
【００６２】
（実施例１２）
モデル液Ａとして、アルコール濃度５％、シトラール１０ｐｐｍ、を含む飲料を用意し、この飲料のｐＨをｐＨ調整剤であるクエン酸三ナトリウムを用いてｐＨが３．０となるように調整した。なお、ここでｐＨは東亜ディーケーケー社製のｐＨメーター  ＨＭ−３０Ｒを用いて測定した。
この飲料に対し、フマル酸一ナトリウムを、飲料全体の１０ｐｐｍとなるように添加し、密栓した上で、３７℃の温度にて７日間静置した。静置後、飲料に含まれるシトラールの量、ｐ−クレゾールの量、ｐ−サイメンの量、ｐ−メチルアセトフェノンの量を定量した。
この含有量について、後述する比較例６における各成分の含有量との比として表５に示した。
【００６３】
（実施例１３）
実施例１２の方法において、フマル酸一ナトリウムの添加量を表５に記載の通りに調整する以外は、実施例１２と同様の方法で静置を行い、飲料中に含まれる各成分の量を定量した。結果は表５に示した。
【００６４】
（実施例１４）
実施例１２の方法において、フマル酸一ナトリウムの代わりにイタコン酸を用い、含有量を２５０ｐｐｍに設定した以外は、実施例１２と同様の方法で静置を行い、飲料中に含まれる各成分の量を定量した。結果は表５に示した。
【００６５】
（比較例６）
実施例１２の方法において、フマル酸一ナトリウムを加えなかった以外は、実施例１２と同様の方法で静置を行い、飲料中に含まれる各成分の量を定量した。この比較例６の結果を対照（１００．０％）として表５に示した。
【００６６】
【表５】
0005785318.tif 000006
【００６７】
各実施例に示されるように、シトラスフレーバーを有する飲料に対して、特定のジカルボン酸又はその金属塩を添加することにより、劣化臭をもたらす成分の生成が抑制された。
また、このように劣化臭をもたらす成分の生成を抑制することにより、飲用した者に心地よいシトラス感や美味しさをもたらすことができた。
【産業上の利用可能性】
【００６８】
本発明の劣化臭生成抑制方法は、効果的にシトラスフレーバー固有の香気を保つことができる。このことから、シトラスフレーバーを有する製品の開発の幅を飛躍的に拡充することができる。
【要約】
【課題】シトラスフレーバー固有の香気を保つための劣化臭生成抑制方法を提供する。
【解決手段】本発明の劣化臭生成抑制方法は、シトラスフレーバー含有製品に対して、分子内に共役二重結合を有するジカルボン酸又はその金属塩を添加することにより、前記シトラスフレーバー含有製品中におけるｐ−クレゾール、ｐ−サイメン、ｐ−メチルアセトフェノン、α−テルピネオールおよびテルピノレンからなる群から選ばれる１種又は２種以上の化合物の生成を抑制する。
【選択図】なし